(57)【特許請求の範囲】
【請求項１】
サービングモバイルロケーションセンター（ＳＭＬＣ：Ｓｅｒｖｉｎｇ  Ｍｏｂｉｌｅ  Ｌｏｃａｔｉｏｎ  Ｃｅｎｔｅｒ）が、位置特定能力要求をユーザ端末に送信し、ユーザ端末が実行可能な位置特定方法に関する能力情報の取得を要求し、
前記ＳＭＬＣが、ユーザ端末からのフィードバックの位置特定能力を受信し、
前記ＳＭＬＣが、ユーザ端末が実行可能な位置特定能力に応じて、ユーザ端末が実行可能な位置特定方法を選択し、補助データと、位置情報要求メッセージとを、ユーザ端末に送信し、周期的に測定結果を報告するようユーザ端末に指示し、
前記ＳＭＬＣが、ユーザ端末が前記位置情報提供メッセージを用いてフィードバックする位置特定結果を受信し、
モビリティ管理エンティティ（ＭＭＥ：Ｍｏｂｉｌｉｔｙ  Ｍａｎａｇｅｍｅｎｔ  Ｅｎｔｉｔｙ）が、ユーザ端末又は基地局が送信したユーザ端末位置特定終了要求を受信し、前記ＳＭＬＣへ前記ユーザ端末位置特定終了要求を送信し、
前記ＳＭＬＣが、前記ユーザ端末位置特定終了要求を受信した後、前記ユーザ端末又は前記基地局へ位置特定プロセス終了命令を送信する
位置特定プロセス終了方法。
【請求項２】
前記ユーザ端末位置特定終了要求は、位置特定サービス終了要求又は位置特定プロセス終了要求を含む
請求項１に記載の方法。
【請求項３】
前記位置特定プロセス終了命令は、独立したメッセージであり、又は位置特定を実行するネットワークエレメントに送信される既存のメッセージにより搬送されることで前記ユーザ端末又は前記基地局に通知され、
前記位置特定サービス終了要求又は前記位置特定プロセス終了要求は、独立したメッセージであり、又は前記ＳＭＬＣに送信される既存のメッセージにより搬送されて前記ＳＭＬＣに通知される
請求項２に記載の方法。
【請求項４】
位置特定能力要求をユーザ端末に送信し、ユーザ端末が実行可能な位置特定方法に関する能力情報の取得を要求し、ユーザ端末からのフィードバックの位置特定能力を受信し、ユーザ端末が実行可能な位置特定能力に応じて、ユーザ端末が実行可能な位置特定方法を選択し、補助データと、位置情報要求メッセージとを、ユーザ端末に送信し、周期的に測定結果を報告するようユーザ端末に指示し、ユーザ端末が位置情報提供メッセージを用いてフィードバックする位置特定結果を受信するサービングモバイルロケーションセンター（ＳＭＬＣ：Ｓｅｒｖｉｎｇ  Ｍｏｂｉｌｅ  Ｌｏｃａｔｉｏｎ  Ｃｅｎｔｅｒ）と、モビリティ管理エンティティ（ＭＭＥ：Ｍｏｂｉｌｉｔｙ  Ｍａｎａｇｅｍｅｎｔ  Ｅｎｔｉｔｙ）と、を含み、
前記ＭＭＥが、ユーザ端末又は基地局が送信したユーザ端末位置特定終了要求を受信し、前記ＳＭＬＣへ前記ユーザ端末位置特定終了要求を送信し、
前記ＳＭＬＣが、前記ユーザ端末位置特定終了要求を受信した後、前記ユーザ端末又は前記基地局へ位置特定プロセス終了命令を送信する
位置特定プロセス終了システム。
【請求項５】
前記ユーザ端末位置特定終了要求は、位置特定サービス終了要求又は位置特定プロセス終了要求を含む
請求項４に記載のシステム。
【請求項６】
前記位置特定プロセス終了命令は、独立したメッセージであり、又は位置特定を実行するネットワークエレメントに送信される既存のメッセージにより搬送されることで前記ユーザ端末又は前記基地局に通知され、
前記位置特定サービス終了要求又は前記位置特定プロセス終了要求は、独立したメッセージであり、又は前記位置特定プロセス終了装置に送信される既存のメッセージにより搬送されて前記位置特定プロセス終了装置に通知される
請求項５に記載のシステム。
【発明の詳細な説明】
【技術分野】
【０００１】
本発明は、ユーザ端末（UE：User Equipment）の位置特定（ロケーション）技術に関し、特に、位置特定プロセス終了方法及び装置に関する。
【背景技術】
【０００２】
図１は、セルラー方式（小ゾーン方式）無線通信システムのアーキテクチャを示す。図１に示すように、セルラー方式無線通信システムは、主に、コアネットワーク（CN：Core Network）、無線アクセスネットワーク（RAN：Radio Access Network）及びユーザ端末（UE:User Equipment）から構成される。コアネットワークは、非アクセス層での処理（例えば、ユーザ端末の位置更新を行う等）を担う。コアネットワークは、ユーザプレーン（User plane）のアンカーポイントである。無線アクセスネットワークは、基地局（eNB：evolved Node B）を含む。あるいは、無線アクセスネットワークは、基地局及び基地局制御装置を含む。無線アクセスネットワークは、アクセス層での処理（例えば、無線リソースの管理等）を担う。複数の基地局は、実際の状況に応じて、物理的又は論理的に接続され得る。例えば、図１において、基地局１と基地局２とは物理的又は論理的に接続される。また、基地局１と基地局３とは物理的又は論理的に接続される。各基地局は、１以上のコアネットワークノードと接続され得る。ユーザ端末は、セルラー方式無線通信ネットワークと通信可能な装置である。例えば、ユーザ端末は、携帯電話やノートパソコン等である。
【０００３】
図２は、IP（Internet Protocol）に基づくロング・ターム・エボリューション（LTE：Long Term Evolution）セルラー方式無線通信システムのフラットアーキテクチャである。図２に示すように、LTEセルラー方式無線通信システムは、E-UTRAN（Evolved Universal Terrestrial Radio Access Network）及びコアネットワークノードから構成される。ここで、コアネットワークノードは、モビリティ管理エンティティ（MME：Mobility Management Entity）、サービングゲートウェイ（S-GW：Serving Gateway）等を含む。MMEは、制御プレーン（Control plane）に関する処理（例えば、モビリティ管理、非アクセス層での信号伝達処理、ユーザのモバイルコンテクスト管理の管理等）を担う。S-GWは、UEのユーザプレーンのデータの伝送、転送及びルーティング・スイッチ等を担う。E-UTRANは、基地局（eNB）を含む。複数のeNBは、X2インターフェースを介して、互いに論理的に接続される。X2インターフェースは、ネットワーク全体内でのUEの移動性（モビリティ）をサポートし、ユーザのシームレスハンドオーバを保証する。
【０００４】
位置特定サービスを提供するために、ネットワーク側は、ネットワークエンティティ・サービングモバイルロケーションセンター（SMLC：Serving Mobile Location Center）を有する。SMLCは、位置特定を管理及び実現する。UEの位置特定を行う場合に、全ての位置特定要求が、MMEを介してSMLCに送信される。SMLCは、eNB又はUEを管理する。これにより、位置特定処理（例えば、位置測定及び結果報告等）が実行される。
【０００５】
SMLCは、位置特定要求を受信した後、eNB又はUEを選択して位置特定を行う。SMLCは、位置情報要求及び要求された場合にはロケーション補助データなどをeNB又はUEに送信する。eNB又はUEは、SMLCによって送信された位置情報要求を受信する。eNB又はUEは、位置情報要求に含まれる指示内容に応じて、位置測定を行う。eNB又はUEは、要求に応じて、周期的に又はイベントトリガを受けて測定結果を報告する。あるいは、eNB又はUEは、計算した位置情報を直接報告する。
【０００６】
しかしながら、eNB又はUEが周期的に結果を報告する場合、位置特定要求主体（例えば、発展型パケットコア（EPC：Evolved Packet Core）ネットワークにおける、位置特定サービス（LCS：Location Service）エンティティ）は、十分な端末位置情報を取得したと認識したり、UE位置情報が必要ないと認識したりする。あるいは、位置特定要求主体は、現在の位置特定方法が精度的に不十分であり、位置特定方法を調整及び更新する必要があると認識したりする。さらに、位置特定要求主体は、周期的に報告される報告数が最大報告数に達しない場合に、位置特定プロセスの終了を要求し得る。しかしながら、一般的なプロトコルでは、UE位置特定プロセスを能動的に終了することができない。
【発明の概要】
【発明が解決しようとする課題】
【０００７】
以上に鑑み、本発明の主な目的は、早い段階でユーザ端末の位置測定を終了し、不要なユーザ端末位置測定に伴う電力損失を防止することが可能な位置特定プロセスの終了方法及び装置を提供することにある。
【課題を解決するための手段】
【０００８】
上記目的を達成するために、本発明の技術的なスキームは以下のように実現される。
【０００９】
本発明の一実施形態に係る位置特定プロセス終了方法は、
サービングモバイルロケーションセンター（SMLC：Serving Mobile Location Center）により、ユーザ端末位置特定終了要求を受信し、
前記SMLCにより、位置特定を実行するネットワークエレメントに、位置特定プロセス終了命令を送信する。
【００１０】
好ましくは、前記ユーザ端末位置特定終了要求は、前記ユーザ端末、前記ユーザ端末にサービスを提供中の基地局又はモビリティ管理エンティティ（MME：Mobility Management Entity）により、前記SMLCに送信される。
【００１１】
好ましくは、前記ユーザ端末位置特定終了要求は、位置特定サービス終了要求又は位置特定プロセス終了要求を含む。
【００１２】
好ましくは、前記位置特定プロセス終了命令は、独立したメッセージであり、又は位置特定を実行する前記ネットワークエレメントに送信される既存のメッセージにより搬送されることで当該ネットワークエレメントに通知され、前記位置特定サービス終了要求又は前記位置特定プロセス終了要求は、独立したメッセージであり、又は前記SMLCに送信される既存のメッセージにより搬送されて前記SMLCに通知される。
【００１３】
好ましくは、前記位置特定プロセス終了命令を搬送する前記既存のメッセージは、位置情報要求メッセージを含み、前記位置特定サービス終了要求又は前記位置特定プロセス終了要求を搬送する前記既存のメッセージは、位置情報提供メッセージを含む。
【００１４】
好ましくは、前記位置特定を実行するネットワークエレメントは、前記ユーザ端末又は前記ユーザ端末にサービスを提供中の基地局である。
【００１５】
本発明の一実施形態に係る位置特定プロセス終了装置は、
ユーザ端末位置特定終了要求を受信する受信ユニットと、
前記ユーザ端末位置特定終了要求を受信し、位置特定を実行するネットワークエレメントに位置特定プロセス終了命令を送信する送信するユニットとを含む。
【００１６】
好ましくは、前記ユーザ端末位置特定終了要求は、前記ユーザ端末、又は前記ユーザ端末にサービスを提供中の基地局又はモビリティ管理エンティティ（MME）により、前記SMLCに送信される。
【００１７】
好ましくは、前記ユーザ端末位置特定終了要求は、位置特定サービス終了要求又は位置特定プロセス終了要求を含む。
【００１８】
好ましくは、前記位置特定プロセス終了命令は、独立したメッセージであり、又は位置特定を実行する前記ネットワークエレメントに送信される既存のメッセージにより搬送されることで当該ネットワークエレメントに通知され、前記位置特定サービス終了要求又は前記位置特定プロセス終了要求は、独立したメッセージであり、又は前記SMLCに送信される既存のメッセージにより搬送されて前記SMLCに通知される。
【００１９】
好ましくは、前記位置特定プロセス終了命令を搬送する前記既存のメッセージは、位置情報要求メッセージを含み、前記位置特定サービス終了要求又は前記位置特定プロセス終了要求を搬送する前記既存のメッセージは、位置情報提供メッセージを含む。
【００２０】
好ましくは、前記位置特定を実行するネットワークエレメントは、前記ユーザ端末又は前記ユーザ端末にサービスを提供中の基地局である。
【００２１】
本発明によれば、UE又は基地局は、位置特定サービスを行う必要がないと判断する場合、ネットワーク側に、UE位置特定プロセス終了命令を送信する。ネットワーク側は、要求に応じて、位置特定を実行中のネットワークエレメントに、位置特定プロセス終了命令を送信する。これにより、このネットワークエレメントは、UE位置特定プロセスを終了する。これにより、本発明によれば、UEの位置測定を早い段階で終了し、不要なUE位置測定に伴う電力損失を防止することが可能となる。
【図面の簡単な説明】
【００２２】
【図１】セルラー方式無線通信システムのアーキテクチャである。
【図２】IPに基づくロング・ターム・エボリューション（LTE：Long Term Evolution）セルラー方式無線通信システムのフラットアーキテクチャである。
【図３】本発明における実施形態１の位置特定プロセス終了方法のフローチャートである。
【図４】本発明における実施形態２の位置特定プロセス終了方法のフローチャートである。
【図５】本発明における実施形態３の位置特定プロセス終了方法のフローチャートである。
【図６】本発明における実施形態４の位置特定プロセス終了方法のフローチャートである。
【図７】本発明における位置特定プロセス終了装置の構成図である。
【発明を実施するための形態】
【００２３】
本発明の基本的な思想は、以下のとおりである。UE又は基地局（eNB）は、位置特定サービスを実行する必要がないと判断する。この場合、UE又は基地局は、ネットワーク側に、UE位置特定プロセス終了命令を送信する。ネットワーク側は、要求に応じて、位置特定を実行中のネットワークエレメントに、位置特定プロセス終了命令を送信する。これにより、ネットワークエレメントは、UE位置特定プロセスを終了する。これにより、本発明によれば、早い段階でUE位置測定を終了し、不要なUE位置測定に伴う電力損失を防止することが可能となる。
【００２４】
本発明の目的、技術的なスキーム及び利点を更に明らかにするため、以下、実施形態を挙げながら添付図面を参照して、本発明を更に詳細に説明する。
【００２５】
実施形態１
図３は、本発明における実施形態１の位置特定プロセス終了方法のフローチャートである。図３に示すように、本実施形態において位置特定プロセス終了方法は以下のようなステップを含む。
【００２６】
ステップ３０１：UEの現在のサービスネットワークは、位置特定サービスを行う。UEのユーザは、位置特定サービス要求をモビリティ管理エンティティ（MME：Mobility Management Entity）に送信する。これにより、UEのユーザは、UE位置特定の実行を、ネットワークに要求する。
【００２７】
ステップ３０２：MMEは、UEからの位置特定サービス要求を受信する。その後、MMEは、当該位置特定サービス要求をSMLCに送信する。
【００２８】
ステップ３０３：SMLCは、位置特定能力要求をUEに送信する。これにより、SMLCは、UEが実行可能な位置特定方法に関する能力情報の取得を要求する。
【００２９】
ステップ３０４：UEは、位置特定能力要求を受信する。その後、UEは、自機器の位置特定能力をSMLCにフィードバックする。
【００３０】
ステップ３０５：SMLCは、UEが実行可能な位置特定能力に応じて、UEが実行可能な位置特定方法を選択する。SMLCは、当該位置特定方法に必要な補助データを構成する。SMLCは、補助データと、位置情報要求メッセージとを、UEに送信する。SMLCは、周期的に測定結果を報告するようUEに指示する。
【００３１】
ステップ３０６：UEは、SMLCによって送信された位置情報要求メッセージ及び補助データに応じて、位置測定を行う。UEは、位置情報提供メッセージを用いて、位置特定結果をSMLCに周期的にフィードバックする。フィードバックされる位置特定結果は、衛星信号の測定結果、基地局信号の到達時間差、基地局ダウンリンク信号及びUE位置情報の計算結果の少なくともいずれか１つである。
【００３２】
ステップ３０７：SMLCは、UEによってフィードバックされた、衛星信号、基地局信号の到達時間差又は基地局ダウンリンク信号を受信する。この場合、SMLCは、フィードバックされた情報に応じて、UE位置情報を計算する。
【００３３】
ステップ３０８：SMLCは、UE位置情報をMMEにフィードバックする。
【００３４】
ステップ３０９：MMEは、UE位置情報をUEにフィードバックする。
【００３５】
ステップ３１０：UEのユーザは、十分な位置情報を既に取得し、位置情報を取得する必要がないと認識する。この場合、UEのユーザは、位置特定サービス終了要求を、MMEに送信する。この位置特定サービス終了要求とは、新規な独立したメッセージエンティティであり、位置特定プロセス終了要求識別子を搬送する。
【００３６】
ステップ３１１：MMEは、位置特定サービス終了要求を、SMLCに送信する。
【００３７】
ステップ３１２：SMLCは、位置特定プロセス終了命令を、UEに送信する。この位置特定プロセス終了命令とは、新規な独立したメッセージエンティティであり、位置特定プロセス終了指示識別子を搬送する。
【００３８】
ステップ３１３：UEは、位置特定プロセス終了命令を受信する。その後、UEは、実行中の位置特定処理を終了し、現在の位置特定結果を報告する。あるいは、UEは、単に、実行中の位置特定処理を終了する。
【００３９】
実施形態２
図４は本発明における実施形態２の位置特定プロセス終了方法のフローチャートである。図４に示すように、本実施形態において位置特定プロセス終了方法は以下のようなステップを含む。
【００４０】
ステップ４０１：UEの現在のサービスネットワークは、位置特定サービスを行う。UEのユーザは、位置特定サービス要求を、モビリティ管理エンティティ（MME）に送信する。これにより、UEのユーザは、UE位置特定の実行を、ネットワークに要求する。
【００４１】
ステップ４０２：MMEは、UEからの位置特定サービス要求を受信する。その後、MMEは、当該位置特定サービス要求を、SMLCに送信する。
【００４２】
ステップ４０３：SMLCは、位置特定能力要求をUEに送信する。これにより、SMLCは、UEが実行可能な位置特定方法に関する能力情報の取得を要求する。
【００４３】
ステップ４０４：UEは、位置特定能力要求を受信する。その後、UEは、自機器の位置特定能力をSMLCにフィードバックする。
【００４４】
ステップ４０５：SMLCは、UEが実行可能な位置特定能力に応じて、UEが実行可能な位置特定方法を選択する。SMLCは、当該位置特定方法に必要な補助データを構成する。SMLCは、補助データと、位置情報要求メッセージとを、UEに送信する。SMLCは、周期的に測定結果を報告するようUEに指示する。
【００４５】
ステップ４０６：UEは、SMLCによって送信された位置情報要求メッセージ及び補助データに応じて、位置測定を行う。UEは、位置情報提供メッセージを用いて、位置特定結果をSMLCに周期的にフィードバックする。フィードバックされる位置特定結果は、衛星信号の測定結果、基地局信号の到達時間差、基地局ダウンリンク信号及びUE位置情報の計算結果の少なくともいずれか１つである。
【００４６】
ステップ４０７：SMLCは、UEによってフィードバックされた、衛星信号、基地局信号の到達時間差又は基地局ダウンリンク信号を受信する。この場合、SMLCは、フィードバックされた情報に応じて、UE位置情報を計算する。
【００４７】
ステップ４０８：SMLCは、UE位置情報を、MMEにフィードバックする。
【００４８】
ステップ４０９：MMEは、UE位置情報を、UEにフィードバックする。
【００４９】
ステップ４１０：UEのユーザは、十分な位置情報を既に取得し、位置情報を取得する必要がないと認識する。この場合、UEのユーザは、位置特定プロセス終了要求をSMLCに送信する。この位置特定プロセス終了要求とは、新規な独立したメッセージエンティティであり、位置特定プロセス終了要求識別子を搬送する。
【００５０】
ステップ４１１：SMLCは、位置特定プロセス終了命令をUEに送信する。この位置特定プロセス終了命令とは、新規な独立したメッセージエンティティであり、位置特定プロセス終了指示識別子を搬送する。
【００５１】
ステップ４１２：UEは、位置特定プロセス終了命令を受信する。その後、UEは、実行中の位置特定処理を終了し、現在の位置特定結果を報告する。あるいは、UEは、単に、実行中の位置特定処理を終了する。
【００５２】
実施形態３
図５は本発明における実施形態３の位置特定プロセス終了方法のフローチャートである。図５に示すように、本実施形態において位置特定プロセス終了方法は以下のようなステップを含む。
【００５３】
ステップ５０１：UEの現在のサービスネットワークは、位置特定サービスを行う。UEのユーザは、位置特定サービス要求を、モビリティ管理エンティティ（MME）に送信する。これにより、UEのユーザは、UE位置特定の実行を、ネットワークに要求する。
【００５４】
ステップ５０２：MMEは、UEからの位置特定サービス要求を受信する。その後、MMEは、当該位置特定サービス要求を、SMLCに送信する。
【００５５】
ステップ５０３：SMLCは、位置特定方法として、E-CID（Enhanced Cell Identify：強化したセル識別方法）を選択する。SMLCは、基地局に位置情報要求メッセージを送信する。SMLCは、周期的に測定結果を報告するよう基地局に指示する。
【００５６】
ステップ５０４：基地局は、SMLCによって送信された位置情報要求メッセージに応じて、位置測定を行う。基地局は、位置情報提供メッセージを用いて、位置特定結果をSMLCに周期的にフィードバックする。フィードバックされる位置特定結果は、UEのタイミングアドバンスの測定結果、信号到達角度、UEアップリンク信号の少なくともいずれか１つである。
【００５７】
ステップ５０５：SMLCは、基地局によってフィードバックされた測定結果を受信する。その後、SMLCは、フィードバックされた情報に応じて、UE位置情報を計算する。
【００５８】
ステップ５０６：SMLCは、UE位置情報をMMEにフィードバックする。
【００５９】
ステップ５０７：MMEは、UE位置情報をUEにフィードバックする。
【００６０】
ステップ５０８：UEのユーザは、十分な位置情報を既に取得し、位置情報を取得する必要がないと認識する。この場合、UEのユーザは、位置特定サービス終了要求を、MMEに送信する。この位置特定サービス終了要求とは、新規な独立したメッセージエンティティであり、位置特定プロセス終了要求識別子を搬送する。
【００６１】
ステップ５０９：MMEは、位置特定サービス終了要求をSMLCに送信する。
【００６２】
ステップ５１０：SMLCは、位置特定プロセス終了命令を、基地局に送信する。この位置特定プロセス終了命令とは、新規な独立したメッセージエンティティであり、位置特定プロセス終了指示識別子を搬送する。
【００６３】
ステップ５１１：基地局は、位置特定プロセス終了命令を受信する。その後、基地局は、実行中の位置特定処理を終了し、現在の位置特定結果を報告する。あるいは、基地局は、単に、実行中の位置特定処理を終了する。
【００６４】
実施形態４
図６は本発明における実施形態４の位置特定プロセス終了方法のフローチャートである。図６に示すように、本実施形態において位置特定プロセス終了方法は以下のようなステップを含む。
【００６５】
ステップ６０１：基地局は、位置特定サービス要求をモビリティ管理エンティティ（MME）に送信する。これにより、基地局は、UE位置特定の実行を、ネットワークに要求する。
【００６６】
ステップ６０２：MMEは、基地局からの位置特定サービス要求を受信する。その後、MMEは、当該位置特定サービス要求を、SMLCに送信する。
【００６７】
ステップ６０３：SMLCは、位置特定方法として、E-CID（強化したセル識別方法）を選択する。SMLCは、基地局に位置情報要求メッセージを送信する。SMLCは、周期的に測定結果を報告するよう基地局に指示する。
【００６８】
ステップ６０４：基地局は、SMLCによって送信された位置情報要求メッセージに応じて、位置測定を行う。基地局は、位置情報提供メッセージを用いて、位置特定結果をSMLCに周期的にフィードバックする。フィードバックされる位置特定結果は、UEのタイミングアドバンスの測定結果、信号到達角度、UEアップリンク信号の少なくともいずれか１つである。
【００６９】
ステップ６０５：SMLCは、基地局によってフィードバックされた測定結果を受信する。その後、SMLCは、フィードバックされた情報に応じて、UE位置情報を計算する。
【００７０】
ステップ６０６：SMLCは、UE位置情報をMMEにフィードバックする。
【００７１】
ステップ６０７：MMEは、UE位置情報を基地局にフィードバックする。
【００７２】
ステップ６０８：基地局は、十分な位置情報を既に取得し、位置情報を取得する必要がないと認識する。この場合、基地局は、位置特定プロセス終了要求を、SMLCに送信する。この位置特定プロセス終了要求とは、新規な独立したメッセージエンティティであり、位置特定プロセス終了要求識別子を搬送する。
【００７３】
ステップ６０９：SMLCは、位置特定プロセス終了命令を、基地局に送信する。この位置特定プロセス終了要求とは、新規な独立したメッセージエンティティであり、位置特定プロセス終了要求識別子を搬送する。
【００７４】
ステップ６１０：基地局は、位置特定プロセス終了命令を受信する。その後、基地局は、実行中の位置特定処理を終了し、現在の位置特定結果を報告する。あるいは、基地局は、単に、実行中の位置特定処理を終了する。
【００７５】
上記実施形態１〜実施形態４によれば、位置特定プロセスを終了するため、従来技術にない新規なシグナルが採用される。本発明によれば、また、既存のシグナルを採用して、本発明の技術的なスキームを実現することも可能である。すなわち、位置特定プロセス終了及び位置特定プロセス指示を識別するための情報要素を、既存のシグナルに設定する。詳細には、以下のとおりである。SMLCからUE又は基地局に対する位置特定プロセス終了指示シグナルを、SMLCからUE又は基地局に送信する既存のシグナル（例えば、位置情報要求メッセージ）に含めればよい。UE又は基地局からの位置特定プロセス終了要求シグナルを、UE又は基地局からSMLCに送信する既存のシグナル（例えば、位置情報提供メッセージ）に含めればよい。位置情報要求メッセージに、位置特定プロセス終了指示シグナルを搬送するための情報要素を付加すればよい。位置情報提供メッセージに、位置特定プロセス終了要求シグナルを搬送するための情報要素を付加すればよい。
【００７６】
図７は、本発明における位置特定プロセス終了装置の構成図である。図７に示すように、本発明における位置特定プロセス終了装置は、受信ユニット７０と送信ユニット７１とを含む。受信ユニット７０は、ユーザ端末位置特定終了要求を受信する。前記ユーザ端末位置特定終了要求を受信すると、送信ユニット７１は、位置特定実行中のネットワークエレメントに、位置特定プロセス終了命令を送信する。これにより、位置特定実行中のネットワークエレメントは、実行中の、ユーザ端末位置特定プロセスを終了する。前記ユーザ端末位置特定終了要求は、ユーザ端末、ユーザ端末にサービスを提供中の基地局又はモビリティ管理エンティティ（MME）により、SMLCに送信される。前記ユーザ端末位置特定終了要求は、位置特定サービス終了要求又は位置特定プロセス終了要求を含む。位置特定プロセス終了命令は、独立したメッセージである。あるいは、位置特定プロセス終了命令は、位置特定実行中のネットワークエレメントに送信される既存のメッセージにより搬送される。これにより、位置特定プロセス終了命令が、ネットワークエレメントに通知される。位置特定サービス終了要求又は位置特定プロセス終了要求は、独立したメッセージである。あるいは、位置特定サービス終了要求又は位置特定プロセス終了要求は、SMLCに送信される既存のメッセージにより搬送される。これにより、位置特定サービス終了要求又は位置特定プロセス終了要求が、SMLCに通知される。位置特定プロセス終了命令を搬送する既存のメッセージは、位置情報要求メッセージを含む。位置特定サービス終了要求又は位置特定プロセス終了要求を搬送する既存のメッセージは、位置情報提供メッセージを含む。位置特定を実行するネットワークエレメントは、ユーザ端末又は前ユーザ端末にサービスを提供中の基地局である。
【００７７】
図７に示す位置特定プロセス終了装置は、上述の位置特定プロセス終了方法を実現する。図７に示す装置における各処理ユニットは、実施形態１〜実施形態４の関連説明を参照して理解される。各処理ユニットの機能は、プロセッサにてプログラムを実行することで実現してもよく、具体的な論理回路により実現してもよい。
【００７８】
以上の説明は、本発明の好ましい実施形態にすぎず、本発明の保護範囲を限定するものではない。
【図１】
0005844735.tif 000002
【図２】
0005844735.tif 000003
【図３】
0005844735.tif 000004
【図４】
0005844735.tif 000005
【図５】
0005844735.tif 000006
【図６】
0005844735.tif 000007
【図７】
0005844735.tif 000008